【手続補正書】
【提出日】令和2年4月17日(2020.4.17)
【手続補正１】
【補正対象書類名】特許請求の範囲
【補正対象項目名】全文
【補正方法】変更
【補正の内容】
【特許請求の範囲】
【請求項１】
ポリマー繊維を紡糸するための紡糸口金アセンブリであって、以下の構成要素：
（ａ）インレットポートと、前記インレットポートから流れの方向に外に向けてフレアするフレアド下面とが備えられたキャップ；
（ｂ）中央部分を有する紡糸口金であって、前記中央部分はその厚さを通して多数の紡糸フローチャネルを有する、紡糸口金；ならびに
（ｃ）前記キャップと前記紡糸口金とにより規定されるキャビティ内に備え付けられた先細幾何形状を有するフローガイドであって、前記フローガイドは、前記インレットポートに面するアペックス、前記紡糸口金に面する底部、および前記底部と鋭角を形成する、前記アペックスまで先細になっている１つ以上の側面を有する、フローガイド
を含み；
ここで、
発散性流路は、前記フローガイドの先細の側面と、キャップのフレアド下面とにより規定され、前記発散性流路は、前記フローガイドの先細の側面を取り囲み、および前記インレットポートと流体連通状態にあり、かつ
前記フローガイドの底部は、前記紡糸口金の上面から離れて間隔を置かれ、前記発散性流路と流体連通状態にある空間をもたらす、紡糸口金アセンブリ。
【請求項２】
前記紡糸口金の中央部分で自由に静止するフィルタをさらに含み、前記フィルタは液体に透過性である、請求項１に記載の紡糸口金アセンブリ。
【請求項３】
前記多数の紡糸フローチャネルが位置する、前記紡糸口金の中央部分が、前記フローガイドの底部の表面積よりも大きい上部表面積を有する、請求項１または２に記載の紡糸口金アセンブリ。
【請求項４】
前記フローガイドが、円形底部をもつ円錐形状を有する、請求項１〜３のいずれか一項に記載の紡糸口金アセンブリ。
【請求項５】
前記キャップのフレアド下面が、切頂円錐形状を有する、請求項４に記載の紡糸口金アセンブリ。
【請求項６】
前記フローガイドが、多角形底部をもつピラミッド形状、および前記底部と鋭角を形成する複数の多角形側壁を有する、請求項１〜３のいずれか一項に記載の紡糸口金アセンブリ。
【請求項７】
前記キャップのフレアド下面が、切頂ピラミッド形状を有する、請求項６に記載の紡糸口金アセンブリ。
【請求項８】
前記紡糸口金の上面区域が、多数の紡糸フローチャネルに対応する多数の入口開口部を含み、かつ前記紡糸口金が、前記多数の紡糸フローチャネルに対応する多数の出口開口部を含む下面区域を有し、前記入口開口部の直径は、前記出口開口部の直径より大きい、請求項１〜７のいずれか一項に記載の紡糸口金アセンブリ。
【請求項９】
前記フローガイドが、前記キャップに取り外し可能に付加され、一方で前記キャップのフレアド下面から間隔を置かれている、請求項１〜８のいずれか一項に記載の紡糸口金アセンブリ。
【請求項１０】
前記フローガイドに、その先細の側面上の複数の離れて間隔を置かれたスペーサが備えられて、先細の側面とキャップのフレアド下面との間に間隔を与え、かつ
前記フローガイドが、前記スペーサを介して延在しているねじで前記キャップに取り外し可能に付加される、
請求項１〜９のいずれか一項に記載の紡糸口金アセンブリ。
【請求項１１】
前記紡糸口金の中央部分の上面が、平坦または実質的に平坦であり、かつ前記フローガイドの底部が、平坦または実質的に平坦であり、前記上面に実質的に平行に向けられている、請求項１〜１０のいずれか一項に記載の紡糸口金アセンブリ。
【請求項１２】
前記紡糸口金内の紡糸フローチャネルの数が、１００〜１００，０００の範囲である、請求項１〜１１のいずれか一項に記載の紡糸口金アセンブリ。
【請求項１３】
前記紡糸口金内の紡糸フローチャネルの数が、２５〜１００，０００の範囲である、請求項１〜１２のいずれか一項に記載の紡糸口金アセンブリ。
【請求項１４】
前記紡糸口金を支持し、および前記紡糸口金を前記キャップに連結するように構成されるケーシングをさらに含み、前記ケーシングは、前記キャップに取り外し可能に固定されている、請求項１〜１３のいずれか一項に記載の紡糸口金アセンブリ。
【請求項１５】
前記紡糸口金が、その中央部分を取り囲む突出リムを有し、かつ前記ケーシングが、前記突出リムがその上に置かれている内に向かって延在するフランジ部分を有する、請求項１４に記載の紡糸口金アセンブリ。
【請求項１６】
前記紡糸口金の突出リムと前記キャップの周辺下部部分との間に閉じ込められた弾力性Ｏリングを、それらの間に流体シールを形成するためにさらに含む、請求項１５に記載の紡糸口金アセンブリ。
【請求項１７】
前記紡糸口金の突出リムと前記ケーシングのフランジ部分との間にとどめられたガスケットをさらに含む、請求項１４または１５に記載の紡糸口金アセンブリ。
【請求項１８】
前記ケーシングおよび前記キャップが、前記ケーシングが前記キャップとのかみ合いにねじり込まれ、またはかみ合いからねじり外され得るように、それらが互いにかみ合う補完的ねじ込み面を含む、請求項１４〜１６のいずれか一項に記載の紡糸口金アセンブリ。
【請求項１９】
前記キャップおよび前記紡糸口金に、ねじ込みボルトを収容するための補完的ねじ込み穴が備えられ、前記キャップは、前記ねじ込み穴を通して延在するねじ込みボルトによって前記紡糸口金に連結され、かつ
前記紡糸口金が、前記ボルトを前記キャップから離脱させることによって前記キャップから脱連結される、
請求項１〜１３のいずれか一項に記載の紡糸口金アセンブリ。
【請求項２０】
請求項１〜１３、および１９のいずれか一項に記載の紡糸口金アセンブリを使用して、繊維紡糸する方法であって、前記方法は、
原料をポリマー溶液または溶融ポリマーの形態で前記紡糸口金アセンブリの前記インレットポート中に連続的に供給し、前記原料を前記紡糸口金内の前記多数の紡糸フローチャネルに通して噴出させ、複数の連続フィラメントを形成する工程を含み、
前記インレットポートからの前記原料は、前記発散性流路を通って、次いで、前記フローガイドの底部と前記紡糸口金の前記上面との間の空間の中に放射状に内に向かって流れ、前記空間を充満させる、方法。
【請求項２１】
前記原料を前記インレットポートの中に供給する前の予備的パージング段階をさらに含み、前記予備的パージング段階は、
原料をポリマー溶液または溶融ポリマーの形態で、前記キャップに付加された前記フローガイドを含むが、前記紡糸口金を含まない部分アセンブリに、一時的に通して連続的に供給し、前記原料が前記発散性流路を通って流れるようにする工程；
前記発散性流路から排出される前記原料を検査する工程
を含み、
前記予備的パージング段階は、前記紡糸口金を含む完成紡糸口金アセンブリをアセンブルする前に行われる、請求項２０に記載の方法。
【請求項２２】
請求項１４〜１８のいずれか一項に記載の紡糸口金アセンブリを使用して、繊維紡糸する方法であって、前記方法は、
原料をポリマー溶液または溶融ポリマーの形態で、前記紡糸口金アセンブリの前記インレットポート中に連続的に供給し、前記原料を前記紡糸口金内の前記多数の紡糸フローチャネルに通して噴出させ、複数の連続フィラメントを形成する工程を含み、
前記インレットポートからの前記原料は、前記発散性流路を通って、次いで、前記フローガイドの底部と前記紡糸口金の前記上面との間の空間の中に放射状に内に向かって流れ、前記空間を充満させる、方法。
【請求項２３】
前記原料を前記インレットポートの中に供給する前の予備的パージング段階をさらに含み、前記予備的パージング段階は、
原料をポリマー溶液または溶融ポリマーの形態で、前記キャップに付加された前記フローガイドを含むが、前記紡糸口金または前記ケーシングを含まない部分アセンブリに、一時的に通して連続的に供給し、前記原料が前記発散性流路を通って流れるようにする工程；
前記発散性流路から排出される前記原料を検査する工程
を含み、
前記予備的パージング段階は、前記紡糸口金および前記ケーシングを含む完成紡糸口金アセンブリをアセンブルする前に行われる、請求項２２に記載の方法。
【請求項２４】
連続繊維フィラメント、好ましくは連続炭素繊維フィラメントを形成するための繊維紡糸方法における、請求項１〜１９のいずれか一項に記載の紡糸口金アセンブリの使用。